(57)【特許請求の範囲】
【請求項１】
ブリューイングヘッド組立体と、粉末カートリッジ組立体と、上下方向に延在したスクリューロッドを含むスクリューロッド組立体と、本体固定フレーム組立体と、間接的に又は直接的に前記粉末カートリッジ組立体を駆動して位置を移動させる支持フレームを含む可動フレーム組立体と、粉末ガイドカートリッジ組立体とを備えるコーヒー抽出装置であって、  前記本体固定フレーム組立体は、左側の左本体固定フレームと右側の右本体固定フレームとを含み、  前記左本体固定フレームには、方向が一定ではない第１移動軌道が設けられ、前記第１移動軌道は、２セグメント以上の移動軌道構造を含み、  前記左本体固定フレームは、一体構造又は複数部品からなる構造を有しており、  前記右本体固定フレームには、方向が一定ではない第２移動軌道が設けられ、前記第２移動軌道は、２セグメント以上の移動軌道構造を含み、  前記右本体固定フレームは、一体構造又は複数部品からなる構造を有しており、  前記左本体固定フレームと前記右本体固定フレームは、それぞれが一体構造を有することができ、 前記粉末カートリッジ組立体は、筒状のカートリッジと、前記カートリッジの上端開口付近に当該開口に沿って移動可能に取り付けられたスラグ除去片と、スラグ上昇軸と、前記スラグ上昇軸に支持され且つ前記カートリッジ内をその軸方向に移動可能なスラグ上昇ロッドとを含み、 前記スクリューロッドの回転による前記可動フレーム組立体の上下移動に伴って、前記左本体固定フレームと前記右本体固定フレームは、共同して、前記粉末カートリッジ組立体の揺動と、前記粉末ガイドカートリッジ組立体からコーヒー粉が投入される移動と、前記ブリューイングヘッド組立体によるコーヒー粉のプレス抽出移動と、前記スラグ上昇ロッド及び前記スラグ上昇軸の前記カートリッジに対するスラグ上昇移動と、前記スラグ除去片によるスラグ除去移動とを可能にするように、前記粉末カートリッジ組立体の移動方向を変化させ、 前記第１移動軌道は、第１カートリッジ軌道、第１スラグ上昇軸軌道及び第１支持フレーム軌道を含み、 前記第１カートリッジ軌道は、上から下へ折れ曲がる各点がそれぞれ圧粉先端Ａ１、前記カートリッジの揺動始点Ｂ１、前記カートリッジの揺動最外点Ｃ１、スラグの除去始点Ｄ１及びスラグの除去終点Ｅ１であり、 前記第１スラグ上昇軸軌道は前記スラグ上昇軸の最高点Ｆ１及び前記スラグ上昇軸の最低点Ｇ１を含み、 前記第１支持フレーム軌道は、前記支持フレームの最高点Ｈ１及び前記支持フレームの最低点Ｉ１を含み、 前記第２移動軌道は、第２カートリッジ軌道、第２スラグ上昇軸軌道、第２支持フレーム軌道及びスラグ除去斜面軌道を含み、 前記第２カートリッジ軌道は、上から下へ折れ曲がる各点がそれぞれ圧粉先端Ａ２、前記カートリッジの揺動始点Ｂ２、前記カートリッジの揺動最外点Ｃ２、スラグの除去始点Ｄ２及びスラグ除去の終点Ｅ２であり、 第２スラグ上昇軸軌道は前記スラグ上昇軸の最高点Ｆ２及び前記スラグ上昇軸の最低点Ｇ２を含み、 前記第２支持フレーム軌道は、前記支持フレームの最高点Ｈ２及び前記支持フレームの最低点Ｉ２を含み、 前記スラグ除去斜面軌道は、スラグ除去斜面の接触始点Ｊ２及びスラグ除去斜面の接触終点Ｋ２を含み、 前記第１カートリッジ軌道には、前記圧粉先端Ａ１から前記カートリッジの揺動始点Ｂ１まで、前記粉末カートリッジ組立体の圧粉、コーヒーを抽出するときの軌道位置が実現され、前記カートリッジの揺動始点Ｂ１から前記カートリッジの揺動最外点Ｃ１まで、前記粉末カートリッジ組立体がコーヒー粉が投入される軌道位置に揺動しながら移動することを可能にし、 前記第２カートリッジ軌道には、前記圧粉先端Ａ２から前記カートリッジの揺動始点Ｂ２まで、前記粉末カートリッジ組立体の圧粉、コーヒーを抽出するときの軌道位置が実現され、前記カートリッジの揺動始点Ｂ２から前記カートリッジの揺動最外点Ｃ２まで、前記粉末カートリッジ組立体がコーヒー粉の投入される軌道位置に揺動しながら移動することを可能にし、 前記第１カートリッジ軌道には、前記カートリッジの揺動最外点Ｃ１からスラグの除去始点Ｄ１まで、前記粉末カートリッジ組立体のスラグ上昇軌道位置が実現され、スラグの除去始点Ｄ１からスラグの除去終点Ｅ１まで、前記粉末カートリッジ組立体のスラグ除去軌道位置が実現され、 前記第２カートリッジ軌道には、前記カートリッジの揺動最外点Ｃ２からスラグの除去始点Ｄ２まで、前記粉末カートリッジ組立体のスラグ上昇軌道位置が実現され、スラグの除去始点Ｄ２からスラグ除去終点Ｅ２まで、前記粉末カートリッジ組立体のスラグ除去軌道位置が実現され、 前記スラグ除去斜面軌道には、スラグ除去斜面の接触始点Ｊ２からスラグ除去斜面の接触終点Ｋ２まで、前記スラグ除去片のスラグ除去軌道位置が実現されることを特徴とするコーヒー抽出装置。
【請求項２】
前記第１カートリッジ軌道は方向が一定ではない軌道であり、前記粉末カートリッジ組立体の揺動及び移動を可能にし、
前記第２カートリッジ軌道は方向が一定ではない軌道であり、前記粉末カートリッジ組立体の揺動及び移動を可能にすることを特徴とする請求項１に記載のコーヒー抽出装置。
【請求項３】
前記第１スラグ上昇軸軌道には、前記スラグ上昇軸の最高点Ｆ１から前記スラグ上昇軸の最低点Ｇ１まで、前記スラグ上昇軸と前記スラグ上昇ロッドのスラグ上昇軌道位置が実現され、
前記第２スラグ上昇軸軌道には、前記スラグ上昇軸の最高点Ｆ２から前記スラグ上昇軸の最低点Ｇ２まで、前記スラグ上昇軸と前記スラグ上昇ロッドのスラグ上昇軌道位置が実現されることを特徴とする請求項１に記載のコーヒー抽出装置。
【請求項４】
前記第１支持フレーム軌道には、前記支持フレームの最高点Ｈ１から前記支持フレームの最低点Ｉ１まで、前記支持フレームによる間接的又は直接的な前記粉末カートリッジ組立体の移動が実現され、
前記第２支持フレーム軌道には、前記支持フレームの最高点Ｈ２から前記支持フレームの最低点Ｉ２まで、前記支持フレームによる間接的又は直接的な前記粉末カートリッジ組立体の軌道位置の移動が実現されることを特徴とする請求項１に記載のコーヒー抽出装置。
【請求項５】
前記粉末カートリッジ組立体の前記カートリッジと前記スラグ除去片との間に、スラグ除去ねじりばねを備えていることを特徴とする請求項１に記載のコーヒー抽出装置。
【発明の詳細な説明】
【技術分野】
【０００１】
本発明はコーヒーの抽出装置に関し、特に全自動コーヒーメーカーに関する。
【背景技術】
【０００２】
これまでに、多種多様のコーヒー抽出装置が登場している。スクリューロッド組立体を用いてコーヒーボックス組立体を駆動する場合、コーヒーボックス組立体の移動軌道は１セグメント式直線移動軌道又は環状移動軌道であり、用途はほぼ一つだけである。
【発明の概要】
【０００３】
本発明の目的は、粉末カートリッジ組立体が移動する過程において、方向が変化する移動が実現され、コーヒー粉の投入、抽出、スラグ上昇、スラグ除去、リセットに対応する位置に揺動しながら移動するコーヒー抽出装置を提供することである。
【０００４】
本発明が提案する解決手段は、ブリューイングヘッド組立体と、粉末カートリッジ組立体と、スクリューロッド組立体と、本体固定フレーム組立体と、可動フレーム組立体と、粉末ガイドカートリッジ組立体とを備えたコーヒー抽出装置であって、前記本体固定フレーム組立体は、左側の左本体固定フレームと右側の右本体固定フレームとを含み、前記左本体固定フレームには、方向が一定ではない第１移動軌道が設けられ、前記第１移動軌道は、２セグメント以上の移動軌道構造を含み、前記左本体固定フレームは、一体構造又は複数部品からなる構造を有しており、前記右本体固定フレームには、方向が一定ではない第２移動軌道が設けられ、前記第２移動軌道は、２セグメント以上の移動軌道構造を含み、前記右本体固定フレームは、一体構造又は複数部品からなる構造を有しており、前記左本体固定フレームと右本体固定フレームは、それぞれが単一の独立構造又は一体構造を有しており、前記左本体固定フレームと右本体固定フレームは、共同して、粉末カートリッジ組立体の揺動、コーヒー粉が投入される移動、コーヒー粉のプレス抽出移動、スラグ上昇移動及びスラグ除去移動が実現されるように、粉末カートリッジ組立体の移動方向を変化させる。
【０００５】
本発明の好ましい実施例において、前記第１移動軌道は、前記第１カートリッジ移動軌道、第１スラグ上昇軸軌道及び第１支持フレーム軌道を含む。前記第１カートリッジ軌道は、上から下へ折れ曲がる各点がそれぞれ圧粉先端Ａ１、カートリッジの揺動始点Ｂ１、カートリッジの揺動最外点Ｃ１、スラグの除去始点Ｄ１及びスラグの終点Ｅ１であり、第１スラグ上昇軸軌道はスラグ上昇軸の最高点Ｆ１及びスラグ上昇軸の最低点Ｇ１を含み、前記第１支持フレーム軌道は、支持フレームの最高点Ｈ１及び支持フレームの最低点Ｉ１を含み、前記第２移動軌道は、第２カートリッジ軌道、第２スラグ上昇軸軌道、第２支持フレーム軌道及びスラグ除去斜面軌道を含み、前記第２カートリッジ軌道は、上から下へ曲がる各点がそれぞれ圧粉先端Ａ２、カートリッジの揺動始点Ｂ２、カートリッジの揺動最外点Ｃ２、スラグの除去始点Ｄ２及びスラグの除去終点Ｅ２であり、第２スラグ上昇軸軌道はスラグ上昇軸の最高点Ｆ２及びスラグ上昇軸の最低点Ｇ２を含み、前記第２支持フレーム軌道は支持フレームの最高点Ｈ２及び支持フレームの最低点Ｉ２を含み、前記スラグ除去斜面軌道は、スラグ除去斜面の接触始点Ｊ２及びスラグ除去斜面の接触終点Ｋ２を含む。
【０００６】
本発明の好ましい実施例において、前記第１カートリッジ軌道は方向が一定ではない軌道であり、粉末カートリッジ組立体の揺動と移動を実現する。前記第２カートリッジ軌道は方向が一定ではない軌道であり、粉末カートリッジ組立体の揺動と移動を実現する。
【０００７】
本発明の好ましい実施例において、前記第１カートリッジ軌道には、前記圧粉先端Ａ１からカートリッジの揺動始点Ｂ１まで、粉末カートリッジ組立体の圧粉、コーヒーを抽出するときの軌道位置が実現される。カートリッジの揺動始点Ｂ１からカートリッジの揺動最外点Ｃ１まで、粉末カートリッジ組立体はコーヒー粉が投入される軌道位置に揺動しながら移動することを可能にする。前記第２カートリッジの軌道には、前記圧粉先端Ａ２からカートリッジの揺動始点Ｂ２まで、粉末カートリッジ組立体の圧粉、コーヒーを抽出するときの軌道位置が実現される。カートリッジの揺動始点Ｂ２からカートリッジの揺動最外点Ｃ２まで、粉末カートリッジ組立体がコーヒー粉の投入される軌道位置に揺動しながら移動することを可能にする。
【０００８】
本発明の好ましい実施例において、前記第１カートリッジの軌道には、カートリッジの揺動最外点Ｃ１からスラグの除去始点Ｄ１まで、粉末カートリッジ組立体のスラグ上昇軌道位置が実現される。スラグの除去始点Ｄ１からスラグの除去終点Ｅ１まで、粉末カートリッジ組立体のスラグ除去軌道位置が実現される。前記第２カートリッジの軌道には、カートリッジの揺動最外点Ｃ２からスラグの除去始点Ｄ２まで、粉末カートリッジ組立体のスラグ上昇軌道位置が実現され、スラグの除去始点Ｄ２からスラグの除去終点Ｅ２まで、粉末カートリッジ組立体のスラグの除去軌道位置が実現される。
【０００９】
本発明の好ましい実施例において、前記第１スラグ上昇軸軌道には、スラグ上昇軸の最高点Ｆ１からスラグ上昇軸の最低点Ｇ１まで、スラグ上昇軸とスラグ上昇ロッド部分のスラグ上昇軌道位置が実現される。前記第２スラグ上昇軸軌道には、スラグ上昇軸の最高点Ｆ２からスラグ上昇軸の最低点Ｇ２まで、スラグ上昇軸とスラグ上昇ロッド部分のスラグ上昇軌道位置が実現される。
【００１０】
本発明の好ましい実施例において、前記第１支持フレームの軌道には、支持フレームの最高点Ｈ１から支持フレームの最低点Ｉ１まで、支持フレームは間接的に又は直接的に粉末カートリッジ組立体を駆動して位置の移動を実現する。前記第２支持フレームの軌道には、支持フレームの最高点Ｈ２から支持フレームの最低点Ｉ２まで、支持フレームは間接的に又は直接的に粉末カートリッジ組立体を駆動して位置の移動が実現される。
【００１１】
本発明の好ましい実施例において、前記スラグ除去斜面軌道には、スラグ除去斜面の接触始点Ｊ２からスラグ除去斜面の接触終点Ｋ２まで、スラグ除去片のスラグ除去軌道位置が実現される。
【００１２】
本発明の好ましい実施例において、前記粉末カートリッジ組立体のカートリッジとスラグ除去片の間に、スラグ除去ねじりばねが配置されている。
【００１３】
本発明はコーヒー抽出装置であり、本発明は粉末カートリッジ組立体が移動する過程において方向が変化する移動が実現され、コーヒー粉の投入、抽出、スラグ上昇、スラグ除去、リセットに対応する位置に移動する。
【図面の簡単な説明】
【００１４】
【図１】本発明に係るコーヒー抽出装置の好ましい一実施例において、コーヒー抽出装置に粉末を投入する準備段階を示す断面図である。
【図２】本発明に係るコーヒー抽出装置の好ましい一実施例において、コーヒー抽出装置の圧粉ブリューイング状態を示す断面図である。
【図３】は本発明に係るコーヒー抽出装置の好ましい一実施例において、コーヒー抽出装置においてスラグ上昇の様子を示す断面図である。
【図４】本発明に係るコーヒー抽出装置の好ましい一実施例において、コーヒー抽出装置におけるスラグ除去の様子を示す断面図である。
【図５】本発明に係るコーヒー抽出装置の好ましい一実施例において、コーヒー抽出装置の左本体固定フレームの第１移動軌道を示す略図である。
【図６】本発明に係るコーヒー抽出装置の好ましい一実施例において、コーヒー抽出装置の右本体固定フレームの第２移動軌道を示す略図である。
【図７】本発明に係るコーヒー抽出装置の好ましい一実施例において、コーヒー抽出装置の分解図である。
【発明を実施するための形態】
【００１５】
以下、本発明の好ましい実施例を詳細に説明し、それにより、本発明の利点及び特徴を当業者がより容易に理解できるように、本発明の保護範囲に対してより明確な定義を行う。
【００１６】
本発明はコーヒー抽出装置であり、図１〜図６に示すように、ブリューイングヘッド組立体０１、粉末カートリッジ組立体０２、スクリューロッド組立体０３、本体固定フレーム組立体０４、可動フレーム組立体０５及び粉末ガイドカートリッジ組立体０６を含んでいる。ブリューイングヘッド組立体０１及び粉末カートリッジ組立体０２は、本体固定フレーム組立体０４の中の前側に配置され、且つ上下に対応して配置されている。粉末ガイドカートリッジ組立体０６は、粉末カートリッジ組立体０２に対応するように、本体固定フレーム組立体０４の前方外側に配置されている。スクリューロッド組立体０３は、本体固定フレーム組立体０４の後側に配置されている。本体固定フレーム組立体０４は、コーヒー抽出装置筐体の両側に配置されている。本体固定フレーム組立体０４は、左本体固定フレーム０４１５と右本体固定フレーム０４１８を含んでいる。可動フレーム組立体０５は、スクリューロッド組立体０３に配置され、且つ粉末カートリッジ組立体０２、左本体固定フレーム０４１５及び右本体固定フレーム０４１８に対応して配置されている。粉末カートリッジ組立体０２は左本体固定フレーム０４１５及び右本体固定フレーム０４１８に対応して配置されている。左本体固定フレーム０４１５には、複数セグメントとなるように湾曲した第１カートリッジ軌道０４１５１、並びに、縦方向に配置された第１スラグ上昇軸軌道０４１５２及び第１支持フレーム軌道０４１５３が配置されている。右本体固定フレーム０４１８には、複数セグメントとなるように湾曲した第２カートリッジ軌道０４１８１、縦方向に配置された第２スラグ上昇軸軌道０４１８２及び第２支持フレーム軌道０４１８３、並びに、スラグ除去斜面軌道０４１８４が配置されている。第１カートリッジ軌道０４１５１、第１スラグ上昇軸軌道０４１５２及び第１支持フレーム軌道０４１５３は、第２カートリッジ軌道０４１８１、第２スラグ上昇軸軌道０４１８２及び第２支持フレーム軌道０４１８３に対応して配置されている。
【００１７】
ブリューイングヘッド組立体０１は、順に配置された、封止リング０１１と、出口コネクタ０１２と、ブリューイングヘッド０１３と、ブリューイングシールリング０１４と、ブリューイングフィルタ０１５と、ブリューイングフィルタスクリュ０１６とを含み、コーヒー粉の押し固めとコーヒー抽出を可能にしている。
【００１８】
粉末カートリッジ組立体０２は、順に組付けられて配置された、スラグ除去片ねじ０２１と、スラグ除去片０２２と、スラグ除去ねじりばね０２３と、カートリッジ０２４と、カートリッジ支持フレーム耐摩耗スリーブ０２５と、カートリッジ支持フレーム０２６と、カートリッジ支持フレームロックスリーブ０２７と、スラグ上昇ロッドねじ０２８と、スラグ上昇ロッドフィルタ０２９と、スラグ上昇ロッド封止リング０２１０と、スラグ上昇ロッド０２１１と、封止リング０２１２と、吸込口コネクタ０２１３と、スラグ上昇軸０２１４とを含み、コーヒー粉の投入とコーヒー抽出を可能にしている。
【００１９】
スクリューロッド組立体０３は、順に組付けられて配置された、接続ヘッド０３１と、ストップピン０３２と、ストップサークリップ０３３と、軸受０３４と、ロックブリューイングねじ０３５と、上固定フレーム０３６と、軸スリーブ０３７と、軸受０３８と、ナット０３９と、ねじ０３１０と、スクリューロッド０３１１とを含み、粉末カートリッジ組立体０２が揺動しながら移動することを可能にしている。
【００２０】
本体固定フレーム組立体０４には、左本体固定フレーム０４１５と、第１カートリッジ軌道０４１５１と、第１スラグ上昇軸軌道０４１５２と、第１支持フレーム軌道０４１５３と、右本体固定フレーム０４１８と、第２カートリッジ軌道０４１８１と、第２スラグ上昇軸軌道０４１８２、第２支持フレーム軌道０４１８３と、ねじ０４１１と、リセットプレスブロック０４１２と、リセットプレスブロックねじりばね０４１３と、リセットブロック０４１４と、ねじ０４１６と、ねじ０４１７とが含まれており、粉末カートリッジ組立体０２の揺動しながらの移動、スラグ上昇ロッド０２１１の移動、スラグ除去片０２２のスラグ除去移動、可動フレーム組立体０５の上下移動を可能にしている。
【００２１】
可動フレーム組立体０５には、ストップレール０５１と、ねじ０５２と、支持フレーム０５３と、可動フレーム０５４とが含まれており、粉末カートリッジ組立体０２の揺動しながらの移動、本体固定フレーム組立体０４との接続を可能にしている。
【００２２】
粉末ガイドカートリッジ組立体０６は、順に配置された、ねじりばね０６１と、ガイドカートリッジ０６２とを含み、コーヒー粉がミルからカートリッジに到達するまでのガイド機能を担っている。
【００２３】
スクリューロッド組立体０３と粉末カートリッジ組立体０２との間にバッフル板０７が配置されていることで、コーヒー粉末及びコーヒースラグをスクリューロッド０３１１及びナット０３９から絶縁することが可能となり、コーヒー粉末とコーヒースラグがスクリューロッド０３１１及びナット０３９内に入り込み、円滑な伝動が阻害されることを防止している。
【００２４】
左本体固定フレーム０４１５と右本体固定フレーム０４１８との間には、後部カバー０８がさらに配置されており、後部カバー０８がスクリューロッド０３１１とナット０３９の汚染を防止している。
【００２５】
図５に示すように、左本体固定フレーム０４１５は、第１カートリッジ軌道０４１５１と、第１スラグ上昇軸軌道０４１５２と、第１支持フレーム軌道０４１５３とを含んでいる。第１カートリッジ軌道０４１５１は、上から下へ折れ曲がる各点がそれぞれ圧粉先端Ａ１、カートリッジの揺動始点Ｂ１、カートリッジの揺動最外点Ｃ１、スラグの除去始点Ｄ１及びスラグの除去終点Ｅ１であり、第１スラグ上昇軸軌道０４１５２はスラグ上昇軸の最高点Ｆ１及びスラグ上昇軸の最低点Ｇ１を含み、第１支持フレーム軌道０４１５３は支持フレームの最高点Ｈ１及び支持フレームの最低点Ｉ１を含んでいる。
【００２６】
第１カートリッジ軌道０４１５１の軌道位置は以下のとおりである。圧粉先端Ａ１からカートリッジの揺動始点Ｂ１までは、粉末カートリッジ組立体０２の圧粉、コーヒーを抽出するときの軌道位置を実現する。カートリッジの揺動始点Ｂ１からカートリッジの揺動最外点Ｃ１までは、粉末カートリッジ組立体０２がコーヒー粉の投入される軌道位置に揺動しながら移動することを可能にする。第１カートリッジ軌道のカートリッジの揺動最外点Ｃ１からスラグの除去始点Ｄ１までは、粉末カートリッジ組立体０２のスラグ上昇軌道位置を実現する。スラグの除去始点Ｄ１からスラグの除去終点Ｅ１までは、粉末カートリッジ組立体０２のスラグ除去軌道位置を実現する。スラグ上昇軸の最高点Ｆ１からスラグ上昇軸の最低点Ｇ１までは、スラグ上昇軸０２１４とスラグ上昇ロッド０２１１部分のスラグ上昇軌道位置を実現する。支持フレームの最高点Ｈ１から支持フレームの最低点Ｉ１までは、支持フレーム０５３による間接的又は直接的な粉末カートリッジ組立体０２の駆動を実現する。
【００２７】
図６に示すように、右本体固定フレーム０４１８は、第２カートリッジ軌道０４１８１、第２スラグ上昇軸軌道０４１８２、第２支持フレーム軌道０４１８３及びスラグ除去斜面軌道０４１８４を含む。第２カートリッジ軌道０４１８１は、上から下へ折り曲がる各点がそれぞれ圧粉先端Ａ２、カートリッジの揺動始点Ｂ２、カートリッジの揺動最外点Ｃ２、スラグの除去始点Ｄ２及びスラグの除去終点Ｅ２である。第２スラグ上昇軸軌道０４１８２は、スラグ上昇軸の最高点Ｆ２及びスラグ上昇軸の最低点Ｇ２を含む。第２支持フレーム軌道０４１８３は、支持フレームの最高点Ｈ２及び支持フレームの最低点Ｉ２を含む。スラグ除去斜面軌道０４１８４は、スラグ除去斜面の接触始点Ｊ２及びスラグ除去斜面の接触終点Ｋ２を含む。
【００２８】
第２カートリッジ軌道０４１８１の軌道位置は以下のとおりである。圧粉先端Ａ２からカートリッジの揺動始点Ｂ２までは、粉末カートリッジ組立体０２の圧粉、コーヒーを抽出するときの軌道位置を実現する。カートリッジの揺動始点Ｂ２からカートリッジの揺動最外点Ｃ２までは、粉末カートリッジ組立体０２がコーヒー粉の投入される軌道位置に揺動しながら移動することを可能にする。カートリッジの揺動最外点Ｃ２からスラグの除去始点Ｄ２までは、粉末カートリッジ組立体０２のスラグ上昇軌道位置を実現する。スラグの除去始点Ｄ２からスラグの除去終点Ｅ２までは、粉末カートリッジ組立体０２のスラグ除去軌道位置を実現する。スラグ上昇軸の最高点Ｆ２からスラグ上昇軸の最低点Ｇ２までは、スラグ上昇軸０２１４とスラグ上昇ロッド０２１１部分のスラグ上昇軌道位置を実現する。支持フレームの最高点Ｈ２から支持フレームの最低点Ｉ２までは、支持フレーム０５３が間接的又は直接的に粉末カートリッジ組立体０２を駆動して軌道位置を移動させることを実現する。スラグ除去斜面の接触始点Ｊ２からスラグ除去斜面の接触終点Ｋ２までは、スラグ除去片０２２のスラグ除去軌道位置を実現する。
【００２９】
上述したコーヒー抽出装置の動作原理は下記の通りである。接続ヘッド０３１は、モータ又はモータにより駆動される回転部品に接続され、コーヒー抽出装置の動力源を提供する。接続ヘッド０３１はスクリューロッド０３１１に接続されて、スクリューロッド０３１１の回転を実現する。スクリューロッド０３１１が回転すると、ナット０３９が上下移動する。ナット０３９と可動フレーム０５４は剛性連結して、第１支持フレーム軌道０４１５３と第２支持フレーム軌道０４１８３の上下に沿って支持フレーム０５３を移動させる。可動フレーム０５４の上下移動によって、粉末カートリッジ組立体０２は、第１カートリッジ軌道０４１５１と第２カートリッジ軌道０４１８１に沿って、粉末カートリッジ組立体０２への粉の投入、圧粉、ブリューイング、スラグ上昇、スラグ除去に必要な位置に移動する。粉末カートリッジ組立体０２の移動により、スラグ上昇ロッド０２１１とスラグ上昇軸０２１４のスラグ上昇移動が実現される。スラグ上昇軸０２１４が第１スラグ上昇軸軌道０４１５２と第２スラグ上昇軸軌道０４１８２に沿って、スラグ上昇及びリセットの移動を実現する。粉末カートリッジ組立体０２の移動はスラグ除去片０２２のスラグ除去斜面軌道に沿った移動を実現させる。スラグ除去斜面の接触始点Ｊ２からスラグ除去斜面の接触終点Ｋ２までは、スラグ除去片０２２のスラグ除去軌道である。
【００３０】
本発明はコーヒー抽出装置であり、本発明は粉末カートリッジ組立体が移動する過程において、方向が変化する移動が実現され、コーヒー粉の投入、抽出、スラグ上昇、スラグ除去、リセットに対応する位置に移動する。
【００３１】
以上の説明は本発明の具体的な実施形態に過ぎず、本発明の請求の範囲はこれに限定するものではない。当業者が本明細書に開示された内容から容易に想到できる変更または切替は、いずれも本発明の請求範囲内に含まれる。従って、本発明の請求の範囲は、請求項の範囲に準ずるべきである。
【図１】
0006863646.tif 000002
【図２】
0006863646.tif 000003
【図３】
0006863646.tif 000004
【図４】
0006863646.tif 000005
【図５】
0006863646.tif 000006
【図６】
0006863646.tif 000007
【図７】
0006863646.tif 000008